(57)【特許請求の範囲】
【請求項１】
操作者によって操作される操縦装置と、
この操縦装置に接続され、この操縦装置からの指令値が入力されるコントローラと、
このコントローラに接続された表示器とを、
備えた舶用制御装置において、
前記表示器に、任意の設定名称と、アドレスと、設定値と、単位とが表示された一覧が、表示されると共に、設定値を変更可能としたテンキーセッティングモードを備え、
値を設定しようとする前記設定値の欄を操作すると、キーボード表示が表示され、このキーボード表示を操作して、前記操作された欄の設定値を設定できるようにしたことを、
特徴とする舶用制御装置。
【請求項２】
請求項１に記載の舶用制御装置において、
前記テンキーセッティングモードのときに、アドレスと設定値や演算値とを対にした表示を、前記一覧と共に表示したことを、特徴とする舶用制御装置。
【請求項３】
操作者によって操作される操縦装置と、
この操縦装置に接続され、この操縦装置からの指令値が入力されるコントローラと、
コントローラに接続され、機関の回転数を検出し、コントローラに送出する回転数検知器と、
コントローラに接続された表示器とを、
備えた舶用制御装置において、
前記表示器に、前記操縦装置からの指令値と、前記指令値に対応する指令回転数とを示すグラフを表示すると共に、前記各指令値と前記各指令回転数との設定値を変更可能としたハンドルオーダーモードを備えたことを特徴とする舶用制御装置。
【請求項４】
操作者によって操作される操縦装置と、
この操縦装置に接続され、この操縦装置からの指令値が入力されるコントローラと、
コントローラに接続され、機関の回転数を検出し、コントローラに送出する回転数検知器と、
コントローラに接続された表示器とを、
備えた舶用制御装置において、
前記表示器に、時間経過と共に回転数上昇工程若しくは回転数下降工程を制御するグラフを表示すると共に、制御の工程を決定する設定値を変更可能とした時間工程モードを備えたことを特徴とする舶用制御装置。
【請求項５】
操作者によって操作される操縦装置と、
この操縦装置に接続され、この操縦装置からの指令値が入力されるコントローラと、
コントローラに接続され、機関の回転数を検出し、コントローラに送出する回転数検知器と、
コントローラに接続された表示器とを、
備えた舶用制御装置において、
コントローラで演算された設定回転数と前記機関への出力値との関係を示すグラフを表示すると共に、前記設定回転数と前記出力値との関連を設定する各設定値を変更可能とした機関制御指令値設定モードを備えたことを特徴とする舶用制御装置。
【請求項６】
操作者によって操作される操縦装置と、
この操縦装置に接続され、この操縦装置からの指令値が入力されるコントローラと、
コントローラに接続され、機関の回転数を検出し、コントローラに送出する回転数検知器と、
コントローラに接続された表示器とを、
備えた舶用制御装置において、
前記表示器に、前記操縦装置からの指令値が入力され機関への機関制御指令値が演算されるまでの行程を示すとともに、各演算段階での処理中の値を表示するフローチャートモードを備えたことを、特徴とする舶用制御装置。
【請求項７】
操作者によって操作される操縦装置からの信号と、
この操縦装置に接続されこの操縦装置からの指令値が入力されるコントローラからの信号とが、
入力される舶用制御装置の表示器において、
任意の設定名称と、アドレスと、設定値と、単位とが表示された一覧が、表示されると共に、設定値を変更可能としたテンキーセッティングモードを備え、
値を設定しようとする前記設定値の欄を操作すると、キーボード表示が表示され、このキーボード表示を操作して、前記操作された欄の設定値を設定できるようにしたことを、
特徴とする舶用制御装置の表示器。
【請求項８】
請求項７に記載の舶用制御装置の表示器において、
アドレスと設定値や演算値とを対にした表示を、前記一覧と共に表示したことを、特徴とする舶用制御装置の表示器。
【請求項９】
操作者によって操作される操縦装置からの信号と、
前記操縦装置に接続され前記操縦装置からの指令値が入力されるコントローラからの信号と、
前記コントローラに接続され機関の回転数を検出し、前記コントローラに送出する回転数検知器からの信号とが、
入力される舶用制御装置の表示器において、
前記操縦装置からの指令値と、前記指令値に対応する指令回転数とを示すグラフを表示すると共に、前記各出力と前記各指令回転数との設定値を変更可能としたハンドルオーダーモードを備えたことを特徴とする舶用制御装置の表示器。
【請求項１０】
操作者によって操作される操縦装置からの信号と、
前記操縦装置に接続され前記操縦装置からの指令値が入力されるコントローラからの信号と、
前記コントローラに接続され機関の回転数を検出し前記コントローラに送出する回転数検知器からの信号とが、
入力された舶用制御装置の表示器において、
時間経過と共に回転数上昇工程若しくは回転数下降工程を制御するグラフを表示すると共に、制御の工程を決定する設定値を変更可能とした時間工程モードを備えたことを特徴とする舶用制御装置の表示器。
【請求項１１】
操作者によって操作される操縦装置からの信号と、
前記操縦装置に接続され前記操縦装置からの指令値が入力されるコントローラからの信号と、
前記コントローラに接続され機関の回転数を検出し前記コントローラに送出する回転数検知器からの信号とが、
入力される舶用制御装置の表示器において、
前記コントローラで演算された設定回転数と出力値との関係を示すグラフを表示すると共に、前記設定回転数と前記出力値との関連を設定する各設定値を変更可能とした機関制御指令値設定モードを備えたことを特徴とする舶用制御装置の表示器。
【請求項１２】
操作者によって操作される操縦装置と、
前記操縦装置に接続され前記操縦装置からの指令値が入力されるコントローラからの信号と、
前記コントローラに接続され機関の回転数を検出し前記コントローラに送出する回転数検知器からの信号とが、
入力される舶用制御装置の表示器において、
前記操縦装置からの指令値が入力され機関への機関制御指令値が演算されるまでの行程を表示すると共に、各演算段階での処理中の値を表示するフローチャートモードを備えたことを、特徴とする舶用制御装置の表示器。
【発明の詳細な説明】
【技術分野】
【０００１】
本発明は、船舶の制御装置に関し、特に、この制御装置が備える表示器における表示に関する。
【背景技術】
【０００２】
従来、舶用制御装置には、特許文献１に開示されているようなものがある。特許文献１の技術によれば、舶用制御装置が備える表示器の画面には、運行情報ウインドウと機関情報ウインドウとが同時に表示されている。この状態でシャフトの回転数を更新設定する必要が生じると、操縦者が表示器にタッチして入力ウインドウを呼び出して、その画面において更新設定する。
【０００３】
【特許文献１】特開平７−２７７２８３号公報
【発明の開示】
【発明が解決しようとする課題】
【０００４】
一般に、舶用制御装置では、設定する必要のあるデータが数百個もある。これらデータごとに入力画面を設け、入力画面を呼び出してデータを設定することは困難である。実際には、データごとにアドレスを予め付しておき、マニュアルを見ながら、アドレスを入力して、設定しようとするデータを呼び出していた。しかし、この作業は操作者にとっては煩わしい作業である。
【０００５】
本発明は、設定値の設定が容易に行え、操作者の作業を軽減できる舶用制御装置及びその表示器を提供することを目的とする。
【課題を解決するための手段】
【０００６】
本発明の一態様の舶用制御装置は、操作者によって操作される操縦装置と、この操縦装置に接続され、この操縦装置からの指令値が入力されるコントローラと、このコントローラに接続された表示器とを、備えている。表示器に、設定名称と、アドレスと、設定値と、単位とが表示された一覧を、表示すると共に、設定値を変更可能としたテンキーセッティングモードを備えている。値を設定しようとする前記設定値の欄を操作すると、キーボード表示が表示され、このキーボード表示を操作して、前記設定値を設定する。さらに、アドレスと設定値や演算値とを対にした別の表示を、前記一覧と共に表示することもできる。
【０００７】
このように構成された舶用制御装置では、設定名称と、アドレスと、設定値と、単位とが表示された一覧が表示されているので、マニュアルを見ることなく、表示器の表示を見ることによって、変更したい設定を特定でき、特定できたとき、画面の呼び出し等を行うことなく、その状態で設定値を変更することができる。さらに、関連のあるものを別の表示で表示できるから、確認、設定または変更作業がより簡便化される。
【００１０】
本発明の別の態様は、上述した態様と同様に、操縦装置と、コントローラと、表示器とを備え、機関の回転数を検出し、コントローラに送出する回転数検知器がコントローラに接続されている。前記表示器に、前記操縦装置の指令値と、この指令値に対応する指令回転数とを示すグラフを表示すると共に、前記各出力と前記各指令回転数との設定値を変更可能としたハンドルオーダーモードを備えている。
【００１１】
このように構成すると、操縦装置の指令値と指令回転数をグラフ化して表示してあり、しかも、その指令値と指令回転数との関係を変更できるので、設定値の確認と設定値の変更とを、簡便化できる。なお、グラフの形状を、設定値の変更に従って変化させることが望ましく、新たな設定値が直前の値よりも低いときには、エラー表示することが望ましい。
【００１２】
本発明の更に他の態様の舶用制御装置は、上述した態様と同様に、操縦装置と、コントローラと、回転数検知器と、表示器とを、備えている。表示器に、時間経過と共に回転数上昇工程若しくは回転数下降工程を制御するグラフを表示すると共に、制御の工程を決定する設定値を変更可能とした時間工程モードを備えている。
【００１３】
このように構成すると、回転数上昇工程または回転数下降工程をグラフ化して表示した状態で、その工程を決定する設定値を変更できるので、設定値の確認と設定値の変更が簡便に行える。
【００１４】
本発明の更に別の態様の舶用制御装置は、上述した態様と同様に、操縦装置と、コントローラと、回転数検知器と、表示器とを、備えている。コントローラで演算された設定回転数と出力値との関係を示すグラフを表示すると共に、設定回転数と出力値との関連を設定する各設定値を変更可能とした機関制御指令値設定モードを備えている。
【００１５】
このように構成すると、設定回転数と出力値との関係を示すグラフを表示し、その表示した状態で、設定を変更できるので、設定値の確認と設定値の変更を簡便化できる。
【００１６】
本発明の更に別の態様の舶用制御装置は、上述した態様と同様に、操縦装置と、コントローラと、回転数検知器と、表示器とを、備えている。表示器に、操縦装置からの指令値が入力され機関への機関制御指令値が演算されるまでの行程を示すとともに、各演算段階での処理中の値を表示するフローチャートモードを備えている。
このように構成すると、操縦装置からの指令値が入力され機関への機関制御指令値が演算されるまでの行程において、各演算段階での処理中の値を表示するから、どの行程で不具合があるかなど容易に推量できる。
【００１７】
なお、上述した各態様は、舶用制御装置に関するものであるが、特許請求の範囲に記載するように舶用制御装置の表示器という態様で、本発明を把握することもできる。
【発明の効果】
【００１８】
以上のように、本発明によれば、様々な設定値の変更を容易に行うことができる。
【発明を実施するための最良の形態】
【００１９】
本発明の一実施形態の舶用制御装置は、図１に示すように、舶用の機関２を制御するコントローラ４を有している。このコントローラ４には、操縦装置６からの指令値が与えられ、これに基づいてコントローラ４が機関２を制御する。なお、操縦装置６には遠隔制御装置、即ちリモートコントローラが接続されている。機関２の制御に使用するために、機関２には、回転数検出器８が設けられ、機関２の回転数を検出し、その検出値をコントローラ４に供給している。コントローラ４には、表示器１０が接続されており、種々の表示を行う。この点については、後述する。なお、表示器１０は、タッチパネル式のものである。
【００２０】
図１では、操縦装置６は、一台しか示していないが、実際には、舶用の異なる位置、例えばブリッジ、コントロールルーム及びエンジンルーム（機関室）にそれぞれ操縦装置６が設けられている。即ち、複数台の操縦装置６が設けられている。
【００２１】
後述する通信モードの図１７に示されるように、これら操縦装置６とコントローラ４との間の接続１７８は、多重、例えば二重配線とされている。コントロールルームの操縦装置６とコントローラ４とは、それぞれが制御用入出力装置１７６ｄ及び安全用入出力装置１７６ｅを有している。コントロールルームの操縦装置６の制御用入出力装置１７６ｄとコントローラ４の制御用基盤１７６ａとの間で、操縦装置６の安全用入出力装置１７６ｅとコントローラ４の安全用基盤１７６ｂとの間で、それぞれ通信を行っている。また、コントローラ４の制御用入出力装置１７６ｄ及び安全用入出力装置１７６ｅは、ブリッジの操縦装置６のブリッジ用入出力装置１７６ｆとの間で、それぞれ通信を行っている。これら通信が良好に行われているか検知するための配線検知器が、各基盤に設けられ、それら検知結果はコントローラ４に供給されている。なお、配線検知器は、コントローラ４に設けることもできる。
【００２２】
また、コントローラ４には、複数、例えば制御用基盤１７６ａと安全用基盤１７６ｂとが設けられており、これらにはそれぞれＣＰＵが設けられている。これらＣＰＵの作動状態を検知するためのＣＰＵ検知器も、制御用基盤１７６ａ及び安全用基盤１７６ｂにそれぞれ設けられている。制御用基盤１７６ａは、機関等の制御を行い、安全用基盤１７６ｂは、機関等の異常の検知を行う。操縦装置６は１つの制御基盤１７６ｃを有し、これにもＣＰＵとＣＰＵ検知器とが設けられている。操縦装置６におけるＣＰＵ検知器の検知結果もコントローラ４に供給されている。
【００２３】
コントローラ４及び操縦装置６の各種基盤１７６ａ、１７６ｂ、１７６ｃには、それぞれ異なる電源装置から電源が供給されている。また、各基盤１７６ａ、１７６ｂ、１７６ｃごとに、電源の状態を検知する電源検知器が設けられている。操縦装置６における電源検知器の検知結果もコントローラ４に供給されている。
【００２４】
さらに、コントローラ４及び操縦装置６の各基盤１７６ａ、１７６ｂ、１７６ｃ、１７６ｄ、１７６ｅ、１７６ｆ内には、それら基盤において行われている配線が断線していないか、短絡していないかを検知する基盤配線検知器が設けられている。操縦装置６の基盤配線検知器の検知結果も、コントローラ４に供給されている。
【００２５】
また、回転数検出器８が正常に動作しているか否かを検知する回転数確認器がコントローラ４内に設けられている。また、操縦装置６からコントローラ４に供給された指令値の状態が正常であるか否かを検知する操縦装置検知器もコントローラ４内に設けられている。
【００２６】
機関２内には、操縦装置６の操作に応じたコントローラ４からの指示に従って切り換えられる正逆切換弁がある。これは、機関２における正転と逆転との掃気タイミングを切り換えるためのものである。この正逆切換弁が動作しているか否かを検知する正逆切換弁作動検出器も機関２内に設けられている。また、機関２では、圧縮空気源と気筒との間の管路に始動切換弁が設けられている。この始動切換弁も操縦装置６の操作に応じたコントローラ４からの指示に従って切り換えられる。この始動切換弁が動作しているか否かを検知する始動切換弁作動検出器も機関２に設けられている。これら正逆切換弁作動検出器及び始動切換弁作動検出器の出力信号は、コントローラ４に供給されている。機関２には、ガバナーが取付けられ、これも操縦装置６の操作および回転検出器８に応じたコントローラ４で演算された機関制御指令値に従って制御される。
【００２７】
コントローラ４に供給された各検知結果等は、コントローラ４において処理され、表示器１０に表示される。なお、表示器１０は、ＣＰＵ、メモリー等を備えており、コントローラ４からの信号や各検知結果等をコントローラ４に替わり処理し表示することもできる。
【００２８】
図２は、表示器１０の初期状態において画面に表示されるホームモードの画面１１を示したもので、この表示器１０において詳細に表示可能な１０個の各モードを表す画面イメージ１２ａ乃至１２ｊが同時に表示されている。これら画面イメージ１２ａ乃至１２ｊに対応するモードは、順に、システム状態モード、システム監視モード、制御シーケンスモード、スピードテストモード、電源モード、通信モード、空圧回路図モード、データモード、フローチャートモード、ナビゲーションモードである。これら画面イメージ１２ａ乃至１２ｊは、各モードが表示されたときに、表示される画面を縮小して表したものである。
【００２９】
これら各画面イメージ１２ａ乃至１２ｊを作業員が観察し、作業員が表示したいと思うモードに対応する画面イメージを決定し、その画面イメージに接触すると、表示器１０がタッチ入力式であるので、その画面イメージが選択されたことが検知され、表示器１０は、表示画面を、選択された画面イメージに対応するモードに変更する。
【００３０】
このようにホームモードにおいて、表示可能な全てのモードを表す画面イメージ１２ａ乃至１２ｊが同時に全て表示されており、さらに、画面イメージを見ることによって、その画面がどのようなモードであるかを理解することができ、表示させたいモードがどれであるかの把握も容易に行えるし、そのモードに直ちに移行することができる。
【００３１】
例えば画面イメージ１２ｈが操作されたことによって移行したデータモードでは、図３に示すような画面１５が表示される。この画面１５は、舶用の各機器にデータを設定する設定画面に移行するためのパスワード入力画面である。制御系の通常運航時のデータを設定するためには、パスワード設定ボタン１４ａを操作して、上部のテンキー部分１６を操作する。同じく制御系の点検時のデータを設定するためには、パスワード設定ボタン１４ｂを操作してテンキー部分１６を操作する。安全系の通常運航時のデータを設定するためには、パスワード設定ボタン１８ａを操作して、テンキー部分１６を操作する。安全系の点検時のデータを設定するためには、パスワード設定ボタン１８ｂを操作してテンキー部分１６を操作する。
【００３２】
この操作によって、図４（テンキーセッティングモード）に示すように制御系または安全系の通常時または点検時のデータ設定画面２１に移行する。ここでは、各設定値に対して与えられているアドレスと、その内容、設定されている値、その値の単位とが、一覧表２２で表示されている。但し、アドレスが多数あり、１画面に表示することができない場合、各アドレスをグループに分け、あるグループに属するものが表示されている。どのグループのものが表示されているかを表すためのグループ２４も表示されている。グループ２４に複数のグループを登録すると、一覧表２２の切り替えが容易にできる。また、アドレスが判明している場合、そのアドレスが位置している一覧表２２の部分を表示させるためのジャンプ表示窓２６も表示されている。ジャンプ表示窓２６を押すと図示しないテンキーが表示され、アドレスを入力し、図示しないＯＫボタンを押すと、入力したアドレスを含む一覧表が表示される。値を設定しようとするアドレスの設定値の欄を操作すると、キーボード表示２８が表示される。このキーボード表示２８では、その上部に、操作されたアドレス（ＴＥＮＫＥＹ  ＡＤＤＲＥＳＳ）と、そのアドレスにおける設定値の許容下限値（ＬＯＷＥＲ）と許容上限値（ＵＰＰＥＲ）とが表示される。この許容下限値と許容上限値とを参考にしてキーボード表示２８を操作して、設定値を設定する。このように一覧表が表示されるから、マニュアル等でアドレスと内容を確認することなく、値の設定や変更作業が簡便化できる。また、グループ２４に設定値の変更頻度が高いものや関連付けされたものを登録させることで、確認作業、設定作業または変更作業がより簡便化される。
【００３３】
また、アドレスと設定値や演算値とを対にした表示３０が表示されており、これのアドレスを選択し、キーボード２８を操作することによって、表示するアドレスを変更することができる。表示３０に設定値や演算値を表示させて確認しながら、同一画面で設定値を変更できるので、初期設定時の調整が短縮できるとともに、設定の変更が簡便になる。いずれかの方法で、設定値の設定が終了すると、復帰ボタン３２を操作することによって、図３のパスワード入力画面に戻る。設定値の変更頻度が高いものや関連付けされたものを表示できるから、確認、設定または変更作業がより簡便化される。
【００３４】
パスワード入力画面には、制御系のインジケータボタン２０ａと安全系のインジケータボタン２０ｂとが表示されており、これらのいずれかを操作すると、図５（テンキーインジケータモード）に示すように制御系または安全系のインジケータ画面３４が表示される。この画面３４も、アドレスを示す窓３５ａと、設定値や演算値を示す窓３５ｂと、その設定されている内容を表す窓３５ｃからなる表３５が表示される。この表３５は、例えば制御系のインジケータ２０ａが操作された場合、制御系７点、安全系１点が表示され、安全系のインジケータ２０ｂが操作された場合、安全系７点、制御系１点が表示される。アドレス３５aを操作すると、テンキー３８が表示され、設定値を知りたいアドレスを入力すると、その設定値及び内容が表示され、ここで設定値を変更することも可能である。設定値の設定が終了すると、復帰ボタン３６を操作することによって、図３のパスワード入力画面に戻る。パスワード画面１５においても、復帰ボタン１５ａを操作することによって、ホームモード画面１１に戻る。また、パスワード画面１５の左端に表示されているスローダウンボタン表示１９を操作すると、後述するシステムステータス詳細画面１６１が表示される。スローダウンボタン表示１９の右にあるアラームボタン表示１７を操作すると、後述するシステムモニタモードの詳細画面１５５が表示される。
【００３５】
ホームモード画面１１において、フローチャートモードの画面イメージ１２ｉを選択すると、図６に示すように、フローチャート画面４０が表示される。このフローチャート画面では、上述した設定画面で設定した各部のデータが、フローチャートの形式で入力側から出力側まで表示されている。これら表示のうち立体的になっている箇所、例えばハンドルオーダー表示４４、タイムスケジュール表示４６、ガバナー補正表示４８を操作すると、それらの設定の詳細な表示画面に移行する。なお、窓４０ａ、４０ｂ、４０ｃ、４０ｄ、４０ｅ、４０ｆ、４０ｇ、４０ｈ、４０ｉ、４０ｊの値は、処理中の値を表す。また、グラフ４１ａは、ハンドルオーダー４４処理後の上限値を表示するもので、この上限値は設定値４１ｂを操作することで変更可能である。グラフ４２ａは、機関２がスローダウンしたときの設定回転数を表示するもので、この設定回転数は設定値４２ｂを操作することで変更可能である。グラフ４３ａは、荒天時の設定回転数を表示するもので、この設定回転数は、設定値４３ｂを操作することで変更可能である。グラフ４５ａは、危険回転数域の上限値と下限値を表示するもので、この上限値と下限値とは、設定値４５ｂまたは設定値４５ｃを操作することで変更可能である。このように、各処理間の値を１つの画面に表示するから、処理の状態の確認や不具合のある設定の変更が容易にできる。また、復帰ボタン４７ｃを操作することによって、ホームモード画面１１に戻る
【００３６】
ハンドルオーダーモードの詳細な表示画面４９は、図７に示すように、操縦装置６における操作位置を電圧で表したもの（指令値）と、これに対応する指令回転数との関係をグラフ形式で示したもので、正転及び逆転にそれぞれ対応している。この表示画面４９では、各設定点での電圧と回転数とが窓４９ａで表示されており、これら窓４９ａを操作すると、図４に示したキーボード表示２８が表示され、キーボード表示２８を操作することによって、それぞれ電圧及び指令回転数の一方または双方を変更可能である。復帰ボタン５０を操作すると、フローチャート画面に戻る。この表示画面４９により、ハンドル操作に応じた指令回転数を１つの画面で設定または確認することができる。また、設定値に応じてグラフ形状を変更するようにしても良い。
【００３７】
フローチャート画面においてタイムスケジュール表示４６を操作すると、図８（時間工程モード）に示すように、時間経過と共に設定回転数をどのように設定するかをグラフ形式で表したタイムスケジュールの詳細な表示画面５２が表示される。予め定められた各時点における設定回転数と時間が表示されている窓５２ａを操作すると、図４に示したキーボード表示２８が表示され、キーボード表示２８を操作することによって、設定回転数、回転数増減率及び時間を変更することができる。復帰ボタン５４を操作すると、フローチャート画面に戻る。この表示画面５２により、タイムスケジュールを１つの画面で設定または確認することができる。また、設定値の変更に伴って表示されているグラフの形状を変更するようにしても良い。
【００３８】
フローチャート画面において、ガバナー補正表示４８を操作すると、図９（機関制御指令値設定モード）に示すように、ガバナーにおける設定回転数（コントローラで演算された回転数）と、出力される電圧（機関制御指令値）との関係をグラフ表示したガバナー補正表示の詳細画面５６が表示される。設定回転数と、電圧とは、対応させた窓５６ａにそれぞれ表示されており、それらの窓５６ａのいずれかを操作すると、図４に示したキーボード表示２８が表示され、キーボード表示２８を操作することによって、設定回転数や電圧を変更することができる。復帰ボタン５８を操作すると、フローチャート画面に戻る。この表示画面５６により、ガバナーにおける設定回転数と、出力される電圧との関係を１つの画面で設定または確認することができる。また、設定値の変更に伴って表示されているグラフの形状を変更するようにしても良い。なお、出力電圧の最大出力を１００パーセントとしたパーセントに変換しても良い。さらに、機関の制御は電子ガバナーを用いているが、電磁弁により燃料量を制御して調速するものでも良い。
【００３９】
ホームモード画面１１において、スピードテストの画面イメージ１２ｄを選択すると、図１０に示すスピードテストモードの画面７１が表示される。この画面７１の上部のデジタル表示６０には、ブリッジからの指令回転数、コントロールルームからの指令回転数、ガバナーへの指令回転数が表示されている。さらにデジタル表示６０には、ガバナーのフィードバック値６０ａ及び始動時の空気圧６０ｂが表示されている。なお、表示６０は、後述する図１３、図１４、図１５にも表示されており、例えば、図１３ではＣ／Ｒが点灯しており、コントロールルームに操縦権があることを表示している。デジタル表示６０の下方には、メータ形式６２で回転数が表示されている。このメータの側方にスピードテスト開始ボタン６４が表示されている。このボタン６４を操作して、側方の回転数増減ボタン６６を操作すると、回転数（回転数検出器８の信号）が模擬的に増加される。この回転数が予め設定されているオーバースピードに達すると、オーバースピード表示６８が点灯する。また、アラームボタン７０が点滅し、異常を知らせる。従って、オーバースピードに対する警告システムが正常に動作しているか確認することができる。アラームボタン７０を操作すると、後述するシステムモニタ画面１５５に移行する。また、左端に表示されているスローダウンボタン表示６５を操作すると、後述するシステムステータス詳細画面１６１が表示される。なお、復帰ボタン７２を操作すると、ホームモード画面１１に戻る。
【００４０】
ホームモード画面１１において、空気回路の画面イメージ１２ｇを操作すると、図１１に示すように、空気回路の詳細画面７３が表示される。この空気回路は、停止用、運転開始用、正転用、逆転用の４系統からなっている。なお、危急停止用の系統を示すようにしても良い。この画面７３において、上部に停止、開始、正転、逆転の各表示ボタン７４ａ乃至７４ｄが表示されており、これら表示ボタン７４ａ乃至７４ｄのうち１つを操作すると、それに対応する系統の空気圧回路の表示が、他の系統の回路の表示と異なったものとなり、容易にその回路を判別することができる。また、表示されている回路、ブロックごとに分割されており、その分割部分を操作すると、そのブロックの図示しない詳細な空気回路図が表示される。復帰ボタン７８を操作すると、ホームモード画面１１に戻る。空気回路の詳細画面７３は、船舶ごとに異なる。メンテナス時にこの詳細画面７３で、停止用、運転開始用、正転用、逆転用の４系統の空気回路を表示できるから、メンテナンス作業時に空気回路の確認が簡単にできる。さらに、空気回路にセンサを配置して、この空気回路の詳細画面７３の該当箇所に表示させると、作動状態が一目で確認できる。
【００４１】
ホームモード画面１１において、ナビゲーションモードの画面イメージ１２ｊを操作すると、図１２に示すように、ナビゲーションモードの詳細な画面８３が表示される。この画面８３では、実際の回転数、指令回転数、ガバナーへの設定回転数、ガバナーのフィードバック値が、メータ形式の表示８０ａ、８０ｂ、８０ｃ、８０ｄとして表示されている。また、回転指令値が、ブリッジ、コントロールルーム及び機関室のいずれの操縦装置６から指示されているかを表す表示８２も表示されている。また、異常が発生したときには、アラーム表示８４の色が変化し、これを操作すると、後述するシステムモニタ画面１５５に移行する。また、エンジンが減速または停止した場合には、スローダウン表示８６の色が変化し、これを操作すると、後述するシステムステータス画面１５５に移行する。復帰ボタン８８を操作すると、ホームモード画面１１に戻る。ナビゲーションモードの画面８３は、通常航行時に使用される。
【００４２】
ホームモード画面１１において、制御シーケンスモードの画面イメージ１２ｃを操作すると、図１３に示す制御シーケンスモードの詳細画面１４１が表示される。この詳細画面１４１は、舶用の機関２の始動時から航行までのどの過程に現在あるかを表示するためのものである。
【００４３】
そのため、操縦装置６の正転の操作部を表す表示９０、この正転の操作部によって操作される正転用の切換弁を表す表示９２、逆転の操作部を表す表示９４、この逆転の操作部によって操作される逆転用の切換弁を表す表示９６、停止用の操作部を表す表示９８、この操作部によって操作される停止切換弁を表す表示１００等が表示されている。これらは、作動しているとき、停止時とは異なった色で表示される。また、機関２が停止しているときには、停止切換弁表示１００と並列に表示されている表示１０１が点灯する。
【００４４】
正転操作部表示９０と正転切換弁表示９２との間には接続表示が表示され、同じく逆転操作部表示９４と逆転切換弁表示９６との間にも接続表示が表示されている。正転切換弁表示９２と逆転切換弁表示９６との間には接続表示が示され、それらは、始動のために機関２に空気を送り込むスタート切換弁を表すスタート切換弁表示１０２まで伸びている。スタート切換弁が動作しているとき、スタート切換弁表示１０２も、停止時とは異なった色で表示されている。スタート切換弁表示１０２の入力側には低速回転が行われている際に点灯する低速回転表示１０４が表示されている。スタート切換弁表示１０２の後段には、正転して舶用の機関２が始動するために必要な機関２の回転数として設定された数値を表示する窓１０６と、その回転数に達しているときに点灯する表示１０８が表示されている。それらの下方には、危険回転数域の上限値と下限値として設定された数値を表示する窓１１０ａ、１１０ｂとが表示され、回転数が危険回転数域内にあるときに点灯する表示１１２も表示されている。更に下方には、逆転して舶用の機関２が逆転始動するために必要な機関２の回転数として設定された数値を表示する窓１１４と、その回転数に達しているときに点灯する表示１１６とが表示されている。なお、表示１０８と、表示１１６とは、スタート切換弁表示１０２から分岐した接続表示中に存在している。この接続表示は合流し、更に伸びるが、その途中に燃料によって機関２が回転し始めたとき点灯する表示１１８が設けられている。この表示の側方の上部には、プログラムロードアップの状態で動作しているときに点灯する表示１２０が表示され、その下方にはバイパス状態のときに点灯する表示１２２が表示され、さらに下方には、ロードダウンの状態で動作しているときに点灯する表示１２４が表示されている。表示１２０、１２４には、これらに対する設定値を表示する窓１２６、１２８が表示されている。３つの表示１２０、１２２、１２４は接続表示によって並列に接続され、その合流点の先には制限速度以上の設定回転数が出力されているときに点灯する制限速度表示１３０が表示されている。その下方には制限速度の表示窓１３２が表示されている。さらに、機関２がスタート切換弁によって空気を供給しても機関２が回転しなかった場合に点灯する表示１３４や、着火不良が生じた場合に点灯する表示１３６が表示されており、機関２が着火しなかった場合に、再起動するために種々の制限を外したときに点灯する表示１３８、制限を外しても着火しなかった場合に点灯する表示１４０、２度にわたって着火を試みたが、着火しなかった場合に点灯する表示１４２が表示されている。また、緊急停止のために機関２を逆回転させたときに点灯する表示１４４が設けられている。このように各表示の点灯状態等をチェックすることによって、始動状態および航行しているときも現在どのような状態に機関２があるかをチェックすることができる。
【００４５】
また、この画面の右の端にあるシステムステータスボタン表示１４６を操作すると、システムステータス表示１４８が表示され、ブリッジの操縦装置６によって操縦が行われるようにインターロックが行われているか、始動に関連する機器の動作状態、機関２の状態等が表示される。この表示としては、例えば電源と制御系監視正常（ＥＬＥＣＴ．ＳＯＵＲＣ＆  ＭＯＮＩＴＯＲ）、エンジン始動可能状態（ＥＮＧＩＮＥ  ＲＥＡＤＹ  ＣＯＮＤＩＴＩＯＮ）、緊急停止不作動（ＳＨＵＴ  ＤＯＷＮ  ＮＯＴ  ＷＯＲＫ）、燃料カット（Ｆ．Ｏ．  ＣＵＴ）、始動空気圧正常（ＳＴＡＲＴ  ＡＩＲ  ＰＲＥＳＳ．  ＮＯＲ．）、メイン始動空気バルブ作動可能位置（ＭＡＩＮ  ＳＴＡＲＴ  Ｖ．  ＳＥＲＶＩＣＥ）、ターニングギア脱（ＴＵＲＮ．  Ｇ．  ＤＩＳＥＮＧＡＧＥＤ）、始動分岐弁開（ＳＴＡＲＴ  ＤＩＳＴ．  Ｖ．  ＯＰＥＮ）、ガバナー接続（ＧＯＶＥＲＮＯＲ  ＣＯＮＮＥＣＴ）等がある。このシステムステータス表示１４８により、１つの画面上で、各部の状態が始動可能になっているか一目で確認できる。また、制御シーケンスモードの詳細画面１４１の左端に表示されているスローダウンボタン表示１５０を操作すると、後述するシステムステータス詳細画面１６１が表示される。右端上部にある復帰ボタン表示１５２を操作すると、ホームモード画面１１に戻る。
【００４６】
ホームモード画面１１において、システムモニタモードの画面イメージ１２ｂを選択すると、図１４に示すように、システムモニタモードの詳細画面１５５が表示される。また、この画面１５５は、上述した各画面に表示されているアラームボタン表示１７、４７ａ、７０、７５ａ、８４、１４３、１６３、１８０ａ、１８４ａを操作することによっても、表示される。この画面１５５では、制御用基盤１７６ａに基づく制御系や安全用基盤１７６ｂに基づく安全系の表示部１５３、１５７において異常が生じている部分を表す文字部１５３ａ、１５７ａと、その部分に対応するアイコン部１５３ｂ、１５７ｂが表示されている。異常が発生するとこれら文字部１５３ａ、１５７ａやアイコン部１５３ｂ、１５７ｂが点滅する。そして、その点滅しているアイコンを操作することによって、その異常を解消するために取るべき処理を促す画面に移行する。異常としては、例えばＣＰＵの異常（ＣＰＵ  ＡＢＮＯＲＭＡＬ）、電源異常（１５Ｖ  ＳＯＵＲＣＥ  ＦＡＩＬＵＲＥ）、通信異常（ＣＯＭＭＵＮＩＣＡＴＩＯＮ  ＡＢＮＯＲＭＡＬ）、断線異常（ＷＩＲＩＮＧ  ＡＢＮＯＲＭＡＬ）、テレグラフ（操縦装置６）信号異常（ＴＥＬＥ．  ＴＲＡＮＳ．  ＡＢＮＯＲＭＡＬ）、エンジン回転信号異常（ＲＥＶＯ．  ＳＩＧＡＬ  ＡＢＮＯＲＭＡＬ）、緊急機関停止電磁弁作動（ＥＭＥＲＧ．  ＳＨＵＴ  ＤＯＷＮ  ＳＯＬ．  Ｖ．）、カム位置異常（ＦＵＥＬ  ＣＡＭ  ＰＯＳＩＴＩＯＮ）、リモート用空気圧力検知スイッチ異常（ＰＲＥＳＳ  ＳＷ  ＦＯＲ  ＲＥＭＯＴＥ）等がある。アイコン１５３ｅ、１５７ｅはＣＰＵの異常、アイコン１５３ｆ、１５７ｆは断線異常、アイコン１５３ｇはテレグラフ信号異常、アイコン１５３ｈ、１５７ｈはエンジン回転信号異常、アイコン１５７ｉは緊急機関停止電磁弁作動、アイコン１５７ｊはリモート用空気圧力検知スイッチ異常、アイコン１５７ｋはカム位置異常を示す。また、この画面においても、スローダウン表示ボタン１５４が表示されており、これを操作することによって、後述するシステムステータス詳細画面が表示される。スローダウン表示ボタン１５４の右にリセットボタン１５４ａが表示されており、作業者がどのような異常が起きたかを確認した上で、異常表示を基に戻すことができる。これより、異常状態から正常状態に復帰したときも作業者がどのような異常が起きていたかを確認できる。文字部１５３ａ、１５７ａの電源異常の文字またはアイコン１５３ｃ、１５７ｃを操作すると、後述する電源モードの詳細画面１８２が表示される。文字部１５３ａ、１５７ａの通信異常の文字またはアイコン１５３ｄ、１５７ｄを操作すると、後述する通信モードの詳細画面１７５が表示される。右端上部にある復帰ボタン表示１５６を操作すると、ホームモード画面１１に戻る。異常を検知するものの多くを同一画面上で一括表示できるから、異常が発生した場合、異常個所の確認および異常の原因の推測が容易にできる。さらに複数の異常が発生した場合、一括表示できるから、主となる原因の推測がし易い。なお、この画面１５５を表示する各画面のアラームボタン表示１７、４７ａ、７０、７５ａ、８４、１４３、１６３、１８０ａ、１８４ａは、システムモニタモードの詳細画面１５５に表示される異常が発生したときに例えば赤く点滅して表示される。また、システムモニタモードの詳細画面１５５への切り替えは、異常が発生したときのみ可能にすると、ご操作を防止できる。
【００４７】
ホームモード画面１１において、システムステータスモードの画面イメージ１２ａを選択した場合、或いは上述した各画面でスローダウンボタン表示１９、４７ｂ、６５、７５ｂ、８６、１５０、１５４、１８０ｂ、１８４ｂを操作した場合に、図１５に示すようにシステムステータスモードの詳細画面１６１が表示される。この画面１６１では、どのような要因でスローダウンしたか、シャットダウンしたかを表示している。例えば、緊急手動でシャットダウンが行われた場合、ブリッジ、コントロールルーム、エンジンルームのいずれの操縦装置６によって行われたかが表示１５８によって表示される。また、自動緊急シャットダウンの場合、その原因が何であるかが表示１６０によって表示される。その原因としては、例えばオーバースピード、機関潤滑油低圧（ＭＡＩＮ  Ｌ．Ｏ．  Ｌ．Ｐ．）、プロペラシャフト軸受高温（ＴＨＲＵＳＴ  ＰＡＤ  Ｈ．Ｔ．）、過給機潤滑油低圧（Ｔ／Ｃ  Ｌ．Ｏ．  Ｌ．Ｐ．）等がある。また、自動緊急スローダウンの場合、その原因が何であるかが表示１６２によって表示される。その原因としては、例えばプロペラシャフト振動異常（ＡＸＩＬ  ＶＩＢ．ＭＯＮＩＴＯＲＩＮＧ）、ピストン冷却油給入側低圧（Ｐ．Ｃ．Ｏ．  ＩＮＬＥＴ  Ｌ．Ｐ．）、ピストン冷却油排出側高温（Ｐ．Ｃ．Ｏ．  ＯＵＴＬＥＴ  Ｈ．Ｔ．）、ピストン冷却油なし（Ｐ．Ｃ．Ｏ．  ＮＯＮ  ＦＬＯＷ）、プロペラシャフト軸受高温（ＴＨＲＵＳＴ  ＰＡＤ  ＢＥＡＲＩＮＧ  Ｈ．Ｔ．）、ピストン潤滑油制御異常（ＬＵＢ．  ＣＯＮＴ．  ＦＡＩＬ．）クランクケース噴霧油高温（ＣＲＡＮＫＣＡＳＥ  ＯＩＬ  ＭＩＳＴ  Ｈ．）、ジャケット冷却水給入側低圧（Ｊ．Ｃ．Ｆ．Ｗ．  ＩＮＬＥＴ  Ｌ．Ｐ．）ジャケット冷却水排出側高温（Ｊ．Ｃ．Ｆ．Ｗ．  ＯＵＴＬＥＴ  Ｈ．Ｔ．）、掃気高温（ＳＣＡＶ．  ＡＩＲ  Ｈ．Ｔ．）排気ガス高温（ＥＸＨ．  ＧＡＳ  Ｈ．Ｔ．）、排気弁作動空気低圧（ＥＸＨ．  Ｖ．  ＳＰＲＩＮＧ  ＡＩＲ  Ｌ．Ｐ．）、機関潤滑油給油側低圧（ＭＡＩＮ  Ｌ．Ｏ．ＩＮＬＥＴ  Ｌ．Ｐ．）、カム用軸受高温（ＣＡＭＳＨＡＦＴ  ＢＥＡＲＩＮＧ  Ｈ．Ｔ．）等がある。なお、復帰ボタン表示１６４を操作すると、ホームモード画面１１に戻る。機関がスローダウンもしくはシャットダウンしたときに、その原因となるものの多くを一括表示したから、スローダウンもしくはシャットダウンしたときに、その原因の確認およびその要因推測が容易にできる。また、システムステータスモードの詳細画面１６１の左端に表示されているアラームボタン表示１６３を操作すると、システムモニタモードの詳細画面１５５が表示される。なお、この詳細画面１５５を表示する各画面のスローダウンボタン表示１９、４７ｂ、６５、７５ｂ、８６、１５０、１５４、１８０ｂ、１８４ｂは、スローダウンもしくはシャットダウンしたときに例えば赤く点滅して表示される。また、システムステータスモードの詳細画面１６１への切り替えは、異常が発生したときのみ可能にすると、誤操作を防止できる。
【００４８】
スローダウンまたはシャットダウンが生じていても、運行を継続する必要がある場合、スローダウンまたはシャットダウンが生じるように設定されている設定値を変更する。その場合には、オーバーライドセッテイングボタン表示１６６を操作する。これによって、図１６に示すオーバーライドセッテイング画面１７１に移行する。
【００４９】
オーバーライドセッテイング画面１７１では、自動緊急シャットダウンが生じる要因が表示１７０によって表示され、自動緊急スローダウンが生じる要因が表示１７２によって表示されている。これらのうち、スローダウンやシャットダウンが生じないように制限を外すことが可能なものについては緑色の表示がなされ、制限を外されているものについては黄色の表示がなされている。文字部を操作すると、その制限の有効または解除を設定できる。復帰ボタン表示１７４を操作すると、システムステータスモード画面１６１に戻る。なお、図示しないボタンを操作すると、全てもしくはその多くの原因となる制限が一括解除される。緊急時に機関２の運転を即座に維持できる。
【００５０】
ホームモード画面１１において、通信モードの画面イメージ１２ｆを選択した場合、或いは上述したシステムモニタ画面で通信異常と表示されている「ＣＯＭＭＵＮＩＣＡＴＩＯＮ  ＡＢＮＯＲＭＡＬ」やアイコン１５３ｄ、１５７ｄのボタンを操作した場合に、図１７に示すように通信モードの詳細画面１７５が表示される。この画面１７５では、ブリッジおよびコントロールルームの操縦装置６とコントローラ４とがそれぞれ備える基盤および装置を表す表示１７６ａ、１７６ｂ、１７６ｃ、１７６ｄ、１７６ｅ、１７６ｆと、それらの接続関係（操縦装置６内の基盤同士の接続及び操縦装置６とコントローラ４との接続を含む）を表す表示１７８とが、画面の下方に、制御系及び安全系それぞれで表示されている。そして、異常が検出されている基盤または接続を表す表示１７８が例えば赤く点灯し表示される。その表示１７８を操作すると、その接続状態が上部の表示部１７９に表示される。表示部１７９には、接続の端子接続状態図１７９ａが表示され、端子１７９ｂの番号が表示される。復帰ボタン表示１８０を操作すると、システムステータスモード画面に戻る。大型船舶では配線が百メートル以上になり、端子は数百点あるが、画面１７５では、通信異常個所を一括で表示し、さらに、故障した接続や端子を表示することで、異常箇所を容易に特定でき、復帰作業が短縮できる。
【００５１】
ホームモード画面１１において、電源モードの画面イメージ１２ｅを選択した場合、或いは上述したシステムモニタ画面１５５で電源異常と表示されている「１５Ｖ  ＳＯＵＲＣＥ  ＦＡＩＬＵＲＥ」やアイコン１５３ｃ、１５７ｃのボタンを操作した場合に、図１８に示すように電源モードの詳細画面１８２が表示される。この画面では、操縦装置６及びコントローラ４のユニットごとに設けられている電源回路にどのようにして、電圧が供給されているかの経路が表示されており、異常がある部分の表示が赤く点灯する。復帰ボタン１８４を操作すると、ホームモード画面１１に戻る。なお、復帰ボタン１５ａ、３２、３６、４７ｃ、５０、５４、５８、７２、７８、８８、１５２、１５６、１６４、１７４、１８０、１８４を操作することで、最後にはホームモード画面１１に戻る。このように各基盤の電源異常を電源経路とともに表示することで、各基盤の電源１８３ａに異常があるのか、または主電源１８３ｂ、バックアップ電源１８３ｃに異常があるか容易に推測できる。
【図面の簡単な説明】
【００５２】
【図１】本発明の一実施形態の舶用制御装置のブロック図である。
【図２】図１の舶用制御装置のホームモード画面を示す図である。
【図３】図１の舶用制御装置のデータモード画面を示す図である。
【図４】図１の舶用制御装置のデータ設定画面を示す図である。
【図５】図１の舶用制御装置のインジケータ画面を示す図である。
【図６】図１の舶用制御装置のフローチャート画面を示す図である。
【図７】図１の舶用制御装置のハンドルオーダーの画面を示す図である。
【図８】図１の舶用制御装置のタイムスケジュールの画面を示す図である。
【図９】図１の舶用制御装置のガバナー補正表示画面を示す図である。
【図１０】図１の舶用制御装置のスピードテストモードの表示画面を示す図である。
【図１１】図１の舶用制御装置の空気回路の表示画面を示す図である。
【図１２】図１の舶用制御装置のナビゲーションモードの表示画面を示す図である。
【図１３】図１の舶用制御装置の制御シーケンスモードの表示画面を示す図である。
【図１４】図１の舶用制御装置のシステムモニタモードの表示画面を示す図である。
【図１５】図１の舶用制御装置のシステムステータスモードの表示画面を示す図である。
【図１６】図１の舶用制御装置のオーバーライドセッテイングの表示画面を示す図である。
【図１７】図１の舶用制御装置の通信モードの表示画面を示す図である。
【図１８】図１の舶用制御装置の電源モードの表示画面を示す図である。
【符号の説明】
【００５３】
２  機関
４  コントローラ
６  操縦装置
８  回転検出器
１０  表示器
【図１】
0005188777.tif 000002
【図２】
0005188777.tif 000003
【図３】
0005188777.tif 000004
【図４】
0005188777.tif 000005
【図５】
0005188777.tif 000006
【図６】
0005188777.tif 000007
【図７】
0005188777.tif 000008
【図８】
0005188777.tif 000009
【図９】
0005188777.tif 000010
【図１０】
0005188777.tif 000011
【図１１】
0005188777.tif 000012
【図１２】
0005188777.tif 000013
【図１３】
0005188777.tif 000014
【図１４】
0005188777.tif 000015
【図１５】
0005188777.tif 000016
【図１６】
0005188777.tif 000017
【図１７】
0005188777.tif 000018
【図１８】
0005188777.tif 000019